(57)【要約】  長さ測定装置は、複数の電極パッド（１００ａ、１００ｂ、１０１ａ、１０１０ｂ、・・・）が配列されるとともに、測定対象物の周囲に巻かれて用いられるテープ部（１０）と、複数の電極パッドの中から、任意の電極パッド対を選択するとともに、当該電極パッド対の間の電気インピーダンスを取得するインピーダンス取得部と、電極パッド対のインピーダンス変化に基づき当該電極パッド対の間の長さを算出する長さ演算部と、を備えている。
2015046058.tif 000002
【特許請求の範囲】
【請求項１】
複数の電極パッドが配列されるとともに、測定対象物の周囲に巻かれて用いられるテープ部と、
前記複数の電極パッドの中から、任意の電極パッド対を選択するとともに、当該電極パッド対の間の電気インピーダンスを取得するインピーダンス取得部と、
前記電極パッド対のインピーダンス変化に基づき前記電極パッド対の間の長さを算出する長さ演算部と、
前記複数の電極パッドの位置関係を示す位置関係データを記憶させた位置関係データ記憶部と、を有し、
前記長さ演算部において、前記位置関係データを用いて前記電極パッド対の間の長さの演算が行われることを特徴とする長さ測定装置。
【請求項２】
前記テープ部が、フレキシブル基板の上の前記複数の電極パッドを配列することによって形成される
請求項１に記載の長さ測定装置。
【請求項３】
前記長さ演算部は、
前記電気インピーダンスが判定閾値以上又は当該判定閾値以下となった場合に、前記長さを算出する
ことを特徴とする請求項１又は請求項２に記載の長さ測定装置。
【請求項４】
前記複数の電極パッドが、前記テープ部の長手方向に沿って配列され、
前記インピーダンス取得部は、前記電極パッド対を複数選択するとともに、当該電極パッド対ごとに、その間の電気インピーダンスを取得し、
前記長さ演算部は、前記テープ部のうち、前記電気インピーダンスが判定閾値以下となる電極パッド対が配列されている領域を特定し、当該特定された領域の長さを算出する
請求項１に記載の長さ測定装置。
【請求項５】
前記インピーダンス取得部は、第１の離間距離を隔てて配された電極パッド対を複数選択し、当該複数の電極パッド対ごとに、その間の電気インピーダンスを取得する第１の取得ステップと、前記第１の離間距離よりも大きい第２の離間距離を隔てて配された電極パッド対を複数選択し、当該複数の電極パッド対ごとに、その間の電気インピーダンスを取得する第２の取得ステップと、を実行する
請求項４に記載の長さ測定装置。
【請求項６】
前記長さ演算部は、前記テープ部のうち、前記第１の取得ステップで取得する電気インピーダンスが前記判定閾値以下となる領域である近接領域が、前記判定閾値を上回る領域である非近接領域を隔てて複数存在する場合には、当該非近接領域において、前記第２の取得ステップで取得する電気インピーダンスが前記判定閾値以下となるか否かを判定するとともに、当該判定閾値以下となっている場合には、複数の前記近接領域が存在する領域全体の長さを算出する
請求項５に記載の長さ測定装置。
【請求項７】
前記テープ部は、表面が絶縁体からなる被膜部により被膜されている
請求項１から請求項６の何れか一項に記載の長さ測定装置。
【請求項８】
前記テープ部は、前記被膜部の内側において、前記複数の電極パッドの何れか一方の面と、当該電極パッドに接続された引き回し配線の両面と、を覆うように形成された導体からなるシールド部をさらに備える
請求項７に記載の長さ測定装置。
【請求項９】
前記テープ部は、前記電極パッド及びこれに接続された引き回し配線を、導電性を有する繊維で形成している
請求項１から請求項８の何れか一項に記載の長さ測定装置。
【請求項１０】
前記テープ部は、更に、複数の曲率センサを長手方向に沿って配列し、前記複数の曲率センサにより検出される曲率半径に基づいて、前記テープ部のうち、前記測定対象物の周囲に巻かれた領域の形状を推定する形状推定部を更に備える
請求項１から請求項９の何れか一項に記載の長さ測定装置。
【請求項１１】
複数の前記曲率センサの各々は、複数の前記電極パッドの各々と一体に設けられている
請求項１０に記載の長さ測定装置。
【請求項１２】
前記インピーダンス取得部が取得した前記電気インピーダンスに基づいて、前記テープ部が巻かれた生体の体脂肪率を算出する体脂肪率演算部を更に備える
請求項１から請求項１１の何れか一項に記載の長さ測定装置。
【請求項１３】
複数の電極パッドが長手方向に沿って周期配列されるとともに、測定対象物の周囲に巻かれて用いられるテープ部と、
前記複数の電極パッドの中から、電極パッド対を複数選択するとともに、当該複数の電極パッド対ごとに、その間の電気インピーダンスを取得するインピーダンス取得部と、
前記テープ部のうち、前記電気インピーダンスが判定閾値以下となる電極パッド対が配列されている領域を特定し、当該特定された領域の長さを算出する長さ演算部と、
を備える長さ測定装置。
【請求項１４】
複数の電極パッドが長手方向に沿って周期配列されるとともに、測定対象物の周囲に巻かれて用いられるテープ部を備える長さ測定装置を用いた長さ測定方法であって、
インピーダンス取得部が、前記複数の電極パッドの中から、電極パッド対を複数選択するとともに、当該複数の電極パッド対ごとに、その間の電気インピーダンスを取得し、
長さ演算部が、前記テープ部のうち、前記電気インピーダンスが判定閾値以下となる電極パッド対が配列されている領域を特定し、当該特定された領域の長さを算出する
長さ測定方法。
【請求項１５】
複数の電極パッドが長手方向に沿って周期配列されるとともに、測定対象物の周囲に巻かれて用いられるテープ部を備える長さ測定装置のコンピュータを、
前記複数の電極パッドの中から、電極パッド対を複数選択するとともに、当該複数の電極パッド対ごとに、その間の電気インピーダンスを取得するインピーダンス取得手段、
前記テープ部のうち、前記電気インピーダンスが判定閾値以下となる電極パッド対が配列されている領域を特定し、当該特定された領域の長さを算出する長さ演算手段、
として機能させるプログラム。
【請求項１６】
複数の曲率センサが長手方向に沿って配列されるとともに、測定対象物の周囲に巻かれて用いられるテープ部と、
前記複数の曲率センサにより検出される曲率半径に基づいて、前記テープ部のうち測定対象物の周囲に巻かれた領域の形状を推定する形状推定部と、
を備える形状推定装置。
【請求項１７】
複数の電極パッドが長手方向に沿って周期配列されるとともに、生体の周囲に巻かれて用いられるテープ部と、
前記複数の電極パッドの中から、電極パッド対を複数選択するとともに、当該複数の電極パッド対ごとに、その間の電気インピーダンスを取得するインピーダンス取得部と、
前記インピーダンス取得部が取得した電気インピーダンスに基づいて、前記テープ部が巻かれた生体の体脂肪率を算出する体脂肪率演算部と、
を備える体脂肪率測定装置。
【発明の詳細な説明】
【技術分野】
【０００１】
本発明は、測定対象物の長さを測定する長さ測定装置、長さ測定方法、プログラム、形状推定装置、及び体脂肪率測定装置に関する。
本願は、２０１３年９月３０日に、日本に出願された特願２０１３−２０４２２３号に基づき優先権を主張し、その内容をここに援用する。
【背景技術】
【０００２】
近年、電子部品の小型化が進んだことに伴って、電子式の巻尺（電子メジャー）の開発が進められている（例えば、特許文献１参照）。特許文献１に記載の電子メジャーは、一般的な巻尺と同じように、テープ部分を本体から引き出す構成となっており、本体から引き出したテープ部分の長さを本体に備えられたセンサによって取得する。このような電子メジャーによれば、利用者は、測定対象物にテープ部に付された目盛りを読み取ることを要さずとも、測定対象物の長さを容易に把握することができる。
【先行技術文献】
【特許文献】
【０００３】
【特許文献１】特開２００５−３４５１０７号公報
【発明の概要】
【発明が解決しようとする課題】
【０００４】
しかしながら、例えば、上述の電子メジャーは、測定対象物の長さを測定する際に、テープ部分を本体部から引出す、又は、本体部に収納（巻き取り）する際に、その引き出しまたは収納したテープ部分の長さを光センサにより検出する仕組みとなっている。そのため、利用者は、長さの測定にあたり、テープ部分の引き出し又は本体部への収納の処理を行う必要があった。また、測定対象物の長さを正確に測定するためには、測定対象物の一方をテープ部分に予め付された基準点に揃えながらテープ部分を引き出す必要があり、利用者の測定作業の負担が大きい。【０００５】
本発明は、長さの測定時における利用者の負担を軽減することができる長さ測定装置、長さ測定方法、プログラム、形状推定装置、及び体脂肪率測定装置を提供する。
【課題を解決するための手段】
【０００６】
本発明の第１の態様によれば、長さ測定装置は、複数の電極パッドが配列されるとともに、測定対象物の周囲に巻かれて用いられるテープ部と、前記複数の電極パッドの中から、任意の電極パッド対を選択するとともに、当該電極パッド対の間の電気インピーダンスを取得するインピーダンス取得部と、前記電極パッド対のインピーダンス変化に基づき前記電極パッド対の間の長さを算出する長さ演算部と、を備える。【０００７】
また、第２の態様によれば、上述の長さ測定装置は、前記複数の電極パッドの位置関係を示す位置関係データを記憶させた位置関係データ記憶部をさらに有し、前記長さ演算部において、前記位置関係データを用いて前記電極パッド対の間の長さの演算が行われる。【０００８】
また、第３の態様によれば、上述の長さ測定装置において、前記テープ部は、フレキシブル基板の上の前記複数の電極パッドを配列することによって形成される。【０００９】
また、第４の態様によれば、上述の長さ測定装置において、前記複数の電極パッドが、前記テープ部の長手方向に沿って配列され、前記インピーダンス取得部は、前記電極パッド対を複数選択するとともに、当該電極パッド対ごとに、その間の電気インピーダンスを取得し、前記長さ演算部は、前記テープ部のうち、前記電気インピーダンスが判定閾値以下となる電極パッド対が配列されている領域を特定し、当該特定された領域の長さを算出する。【００１０】
また、第５の態様によれば、上述の長さ測定装置において、前記インピーダンス取得部は、第１の離間距離を隔てて配された電極パッド対を複数選択し、当該複数の電極パッド対ごとに、その間の電気インピーダンスを取得する第１の取得ステップと、前記第１の離間距離よりも大きい第２の離間距離を隔てて配された電極パッド対を複数選択し、当該複数の電極パッド対ごとに、その間の電気インピーダンスを取得する第２の取得ステップと、を実行する。【００１１】
また、第６の態様によれば、上述の長さ測定装置において、前記長さ演算部は、前記テープ部のうち、前記第１の取得ステップで取得する電気インピーダンスが前記判定閾値以下となる領域である近接領域が、前記判定閾値を上回る領域である非近接領域を隔てて複数存在する場合には、当該非近接領域において、前記第２の取得ステップで取得する電気インピーダンスが前記判定閾値以下となるか否かを判定するとともに、当該判定閾値以下となっている場合には、複数の前記近接領域が存在する領域全体の長さを算出する。【００１２】
また、第７の態様によれば、上述の長さ測定装置において、前記テープ部は、表面が絶縁体からなる被膜部により被膜されている。【００１３】
また、第８の態様によれば、上述の長さ測定装置において、前記テープ部は、前記被膜部の内側において、前記複数の電極パッドの何れか一方の面と、当該電極パッドに接続された引き回し配線の両面と、を覆うように形成された導体からなるシールド部をさらに備える。【００１４】
また、第９の態様によれば、上述の長さ測定装置において、前記テープ部は、前記電極パッド及びこれに接続された引き回し配線を、導電性を有する繊維で形成している。【００１５】
また、第１０の態様によれば、上述の長さ測定装置において、前記テープ部は、更に、複数の曲率センサを長手方向に沿って配列し、前記複数の曲率センサにより検出される曲率半径に基づいて、前記テープ部のうち、前記測定対象物の周囲に巻かれた領域の形状を推定する形状推定部を更に備える。【００１６】
また、第１１の態様によれば、上述の長さ測定装置において、複数の前記曲率センサの各々は、複数の前記電極パッドの各々と一体に設けられている。【００１７】
また、第１２の態様によれば、上述の長さ測定装置は、前記インピーダンス取得部が取得した前記電気インピーダンスに基づいて、前記テープ部が巻かれた生体の体脂肪率を算出する体脂肪率演算部を更に備える。【００１８】
また、第１３の態様によれば、長さ測定方法は、複数の電極パッドが長手方向に沿って周期配列されるとともに、測定対象物の周囲に巻かれて用いられるテープ部を備える長さ測定装置を用いた長さ測定方法であって、インピーダンス取得部が、前記複数の電極パッドの中から、電極パッド対を複数選択するとともに、当該複数の電極パッド対ごとに、その間の電気インピーダンスを取得し、長さ演算部が、前記テープ部のうち、前記電気インピーダンスが判定閾値以下となる電極パッド対が配列されている領域を特定し、当該特定された領域の長さを算出する。【００１９】
また、第１４の態様によれば、プログラムは、複数の電極パッドが長手方向に沿って周期配列されるとともに、測定対象物の周囲に巻かれて用いられるテープ部を備える長さ測定装置のコンピュータを、前記複数の電極パッドの中から、電極パッド対を複数選択するとともに、当該複数の電極パッド対ごとに、その間の電気インピーダンスを取得するインピーダンス取得手段、前記テープ部のうち、前記電気インピーダンスが判定閾値以下となる電極パッド対が配列されている領域を特定し、当該特定された領域の長さを算出する長さ演算手段、として機能させる。【００２０】
また、第１５の態様によれば、形状推定装置は、複数の曲率センサが長手方向に沿って配列されるとともに、測定対象物の周囲に巻かれて用いられるテープ部と、前記複数の曲率センサにより検出される曲率半径に基づいて、前記テープ部のうち測定対象物の周囲に巻かれた領域の形状を推定する形状推定部と、を備える。【００２１】
また、第１６の態様によれば、体脂肪率測定装置は、複数の電極パッドが長手方向に沿って周期配列されるとともに、生体の周囲に巻かれて用いられるテープ部と、前記複数の電極パッドの中から、電極パッド対を複数選択するとともに、当該複数の電極パッド対ごとに、その間の電気インピーダンスを取得するインピーダンス取得部と、前記インピーダンス取得部が取得した電気インピーダンスに基づいて、前記テープ部が巻かれた生体の体脂肪率を算出する体脂肪率演算部と、を備える。
【発明の効果】
【００２２】
長さの測定時における利用者の負担を軽減することができる。
【図面の簡単な説明】
【００２３】
【図１】第１の実施形態に係る長さ測定装置の概要を示す図である。
【図２】第１の実施形態に係る長さ測定装置のテープ部の構成を示す図である。
【図３Ａ】第１の実施形態に係る長さ測定装置のテープ部の構成をより詳細に示す第１の図である。
【図３Ｂ】第１の実施形態に係る長さ測定装置のテープ部の構成をより詳細に示す第２の図である。
【図４】第１の実施形態に係る長さ測定装置の本体部の機能構成を示す図である。
【図５Ａ】第１の実施形態に係る長さ測定装置の作用を説明する第１の図である。
【図５Ｂ】第１の実施形態に係る長さ測定装置の作用を説明する第２の図である。
【図６】第１の実施形態に係る長さ測定装置の作用を説明する第３の図である。
【図７】第１の実施形態に係る長さ測定装置の制御部の処理フローを示す図である。
【図８】第１の実施形態の変形例に係る長さ測定装置のテープ部の構成を示す図である。
【図９】第１の実施形態の他の変形例に係る長さ測定装置のテープ部の構成を示す図である。
【図１０Ａ】第２の実施形態に係る長さ測定装置の作用を説明する第１の図である。
【図１０Ｂ】第２の実施形態に係る長さ測定装置の作用を説明する第２の図である。
【図１１】第２の実施形態に係る長さ測定装置の作用を説明する第３の図である。
【図１２】第２の実施形態に係る長さ測定装置の制御部の処理フローを示す第１の図である。
【図１３】第２の実施形態に係る長さ測定装置の制御部の処理フローを示す第２の図である。
【図１４】第３の実施形態に係る長さ測定装置のテープ部の構成を示す図である。
【図１５】第３の実施形態に係る長さ測定装置の本体部の機能構成を示す図である。
【図１６】第４の実施形態に係る長さ測定装置の本体部の機能構成を示す図である。
【図１７】形状推定装置の機能構成を示す図である。
【図１８】体脂肪率測定装置の機能構成を示す図である。
【発明を実施するための形態】
【００２４】
＜第１の実施形態＞
以下、第１の実施形態に係る長さ測定装置を、図面を参照して説明する。
図１は、第１の実施形態に係る長さ測定装置の概要を示す図である。
【００２５】
図１に示すように、長さ測定装置１は、テープ部１０と、本体部２０と、を備えている。長さ測定装置１は、通常の巻尺（メジャー）と同様に、テープ部１０が柔軟な素材で作製されており、本体部２０内部においてリールに巻き付けられて収納される。長さ測定装置１の利用者は、本体部２０からテープ部１０を引き出すとともに、これを測定対象物の周囲に巻き付ける等して、当該測定対象物に係る長さの測定を行う。
【００２６】
図２は、第１の実施形態に係る長さ測定装置のテープ部の構成を示す図である。
次に、図２を参照しながら、テープ部１０の構成について説明する。
図２に示すように、テープ部１０は、フレキシブル基板１１及び被膜部１２で構成される。
フレキシブル基板１１は、その長手方向に沿って複数の電極パッド１００ａ、１００ｂ、１０１ａ、１０１ｂ、・・・、１０ｎａ、１０ｎｂ（ｎは１以上の整数）を周期配列している。電極パッド１００ａ、１００ｂ、・・・は、いずれも等間隔（例えば、１ミリメートル間隔）で、フレキシブル基板１１上に形成される。
フレキシブル基板１１は、形状の柔軟性及び電気的な絶縁性を有する樹脂素材で形成されている。テープ部１０の当該電極パッド１００ａ、１００ｂ、・・・及び引き回し配線１２０（後述する図３Ａ、図３Ｂで図示）は、フレキシブル基板１１上に形成された導電性膜をパターニングして作製されている。
以下の説明において、テープ部１０上における各電極パッド１００ａ、１００ｂ、・・・それぞれの位置Ａを、基準点Ｏ（電極パッド１００ａの位置）から各電極パッド１００ａ、１００ｂ、１０１ａ、・・・までの離間距離で表す。
【００２７】
後述するように、電極パッド１００ａ、１０１ａ、・・・は、電気インピーダンス測定のための交流電圧信号が印加される陽極端子として用いられる。また、電極パッド１００ｂ、１０１ｂ、・・・は、接地電位が与えられる陰極端子として用いられる。
【００２８】
被膜部１２は、樹脂や繊維などの絶縁体からなり、各電極パッド１００ａ、１００ｂ、・・・を含めたフレキシブル基板１１の表面全体を被膜する。このように、被膜部１２がフレキシブル基板１１全体を被膜することで、電極パッド１００ａ、１００ｂ、・・・が外部に曝されなくなり、これによってさびや変質を防止し、或いは、各電極パッド１００ａ、１００ｂ・・・を介した静電破壊による故障を低減することができる。
【００２９】
図３Ａ、図３Ｂは、それぞれ、第１の実施形態に係る長さ測定装置のテープ部の構成をより詳細に示す第１の図、第２の図である。
図３Ａは、テープ部１０の一部の正面図を示している。図３Ａに示すように、フレキシブル基板１１は、内部に、引き回し配線１２０を有している。引き回し配線１２０は、例えば、各電極パッド１００ａ、１００ｂ、・・・と同一の層に形成され、一方が電極パッド１００ａ、１００ｂ・・・のそれぞれと接続し、その他方が、コネクタ１３を介して本体部２０（後述する電極選択部２５（図４））と接続されている。後述するように、本体部２０は、コネクタ１３及び引き回し配線１２０を介して電極パッド１００ａ、１００ｂ、・・・の各々に高周波信号を送出する。
【００３０】
図３Ｂは、テープ部１０の断面模式図を示している。図３Ｂに示すように、フレキシブル基板１１は、電極パッド１００ａ、１００ｂ、・・・及び引き回し配線１２０が形成される導体層である信号配線部１００と、他の層であるシールド部１１１、１１２と、が、絶縁層１１３を介して多層積層される構造を有している。ここで、シールド部１１１、１１２は、電極パッド１００ａ、１００ｂ・・・等が形成される信号配線部１００と同様に、導体で形成された導体層である。また、シールド部１１１、１１２は、それぞれ本体部２０において接地され、接地電位で固定されている。
なお、図３Ｂには、テープ部１０の「表面側Ｕ」及び「裏面側Ｄ」を特定してテープ部１０の断面模式図を図示しているが、本実施形態における長さ測定装置１は、テープ部１０の「表面側Ｕ」を、測定対象物に対向させて長さの測定を行う。
【００３１】
図３Ｂに示すように、シールド部１１１、１１２は、それぞれ、絶縁層１１３を介して、信号配線部１００に対し、図３Ｂに示す「表面側Ｕ」及び「裏面側Ｄ」に形成されている。つまり、信号配線部１００は、フレキシブル基板１１内において、「表面側Ｕ」及び「裏面側Ｄ」からシールド部１１１、１１２に挟まれるように配されている。
また、図３Ａ、図３Ｂに示すように、信号配線部１００の「表面側Ｕ」に積層されるシールド部１１１は、電極パッド１００ａ、１００ｂ、・・・の面と対向する領域に間欠部１１１ａが形成される。これにより、電極パッド１００ａ、１００ｂ、・・・の対向面は、シールド部１１１によって覆われなくなる。つまり、シールド部１１１は、図３Ａに示すように、信号配線部１００の電極パッド１００ａ、１００ｂ・・・の対向面が存在する領域以外の部分、特に引き回し配線１２０が配される領域を覆う。
一方、シールド部１１２は、間欠部を有することなく、信号配線部１００の「裏面側Ｄ」全面を覆うように形成される。
以上のように、シールド部１１１、１１２は、被膜部１２の内側において、電極パッド１００ａ、１００ｂ、・・・の何れか一方の面（「表面側Ｕ」の面）と、電極パッド１００ａ、１００ｂ、・・・に接続された引き回し配線１２０の両面と、を覆うように形成される（図３Ａ、図３Ｂ）。これにより、電極パッド１００ａ、１００ｂ、・・・の測定対象物に対する対向面以外の領域（引き回し配線１２０の両面全体）がシールド部１１１、１１２に覆われるので、測定時における外部からの電磁的な干渉の影響を低減させ、誤差の少ない測定を行うことができる。
【００３２】
図４は、第１の実施形態に係る長さ測定装置の本体部の機能構成を示す図である。
次に、図４を参照しながら、本体部２０の各機能構成について詳細に説明する。なお、図４では、各機能部を結ぶ回路の配線を実線で示し、各機能部間の信号（情報）の流れを破線で示している。
図４に示すように、本体部２０は、制御部２１、発振源２２、電圧計２３、電流計２４、電極選択部２５、及び表示部２６を備えている。
【００３３】
制御部２１は、長さ測定装置１の処理全体を司るＣＰＵ（Central Process Unit：中央演算装置）であり、インピーダンス取得部２１０及び長さ演算部２１１としての機能を有する。インピーダンス取得部２１０、長さ演算部２１１の具体的な機能については、後述する。
【００３４】
発振源２２は、一端子が基準電位（接地電位）点に接続されるとともに、他端子において、接地電位を基準とした所定の周波数の交流電圧信号を出力する。発振源２２は、制御部２１（インピーダンス取得部２１０）の制御信号を受けて、交流電圧信号を出力する。
電圧計２３、電流計２４は、それぞれ、図４に示す回路上における電圧値及び電流値を取得して、制御部２１（インピーダンス取得部２１０）に出力する。電圧計２３、電流計２４は、検出される電圧、電流を電圧情報、電流情報（サンプリング値）として取得するＡ／Ｄ（Analog/Digital）コンバータであってもよい。
電極選択部２５は、制御部２１（インピーダンス取得部２１０）から供給される制御信号に応じて、回路の配線をつなぎ変えるリレースイッチである。具体的には、電極選択部２５は、コネクタ１３を介して、陽極側の電極パッドとして、電極パッド１００ａ、１０１ａ、１０２ａ、・・・に接続される引き回し配線１２０のうちから何れか一つを選択して、発振源２２（の上記“他端子”）に接続する。さらに、電極選択部２５は、陰極側の電極パッドとして、電極パッド１００ｂ、１０１ｂ、１０２ｂ、・・・に接続される引き回し配線１２０のうちから何れか一つを選択して、上記接地電位点に接続する。
表示部２６は、制御部２１（長さ演算部２１１）から供給される長さ情報（長さの測定結果を示す情報）に基づいてその長さ情報を表示し、利用者に視認させる。表示部２６は、例えば、簡易的な液晶表示装置等で構成される。
【００３５】
次に、制御部２１が有するインピーダンス取得部２１０、長さ演算部２１１の機能について説明する。
インピーダンス取得部２１０は、複数の電極パッド１００ａ、１００ｂ、・・・の中から、２つの電極パッド（電極パッド対）を複数選択するとともに、当該複数の電極パッド対ごとに、その間の電気インピーダンスを取得する。
具体的には、インピーダンス取得部２１０は、上述した発振源２２に制御信号を出力し、所定の周波数（例えば、数ＭＨｚ〜数百ＭＨｚオーダー）の交流電圧信号を出力させるとともに、電圧計２３、電流計２４を介して取得される電圧情報、電流情報を元に電気インピーダンスを取得する。この際、インピーダンス取得部２１０は、電極選択部２５にも制御信号を出力し、電極パッド１００ａ、１００ｂ、・・・のうちの２つを選択する。例えば、電極選択部２５は、インピーダンス取得部２１０の制御信号により、電極パッド１００ａと、電極パッド１００ｂと、を選択して接続する。そうすると、インピーダンス取得部２１０は、その二つの電極パッド１００ａ、電極パッド１００ｂ間の電気インピーダンスを取得する。
【００３６】
インピーダンス取得部２１０は、一の電極パッド対（例えば、電極パッド１００ａと電極パッド１００ｂ）の間の電気インピーダンスを取得して、その電気インピーダンスを一時的に記憶して保持しておく。そして、インピーダンス取得部２１０は、別の電極パッド対（例えば、電極パッド１００ｂと電極パッド１０１ａ）を選択し、その間の電気インピーダンスを取得する。インピーダンス取得部２１０は、このような処理を繰り返して、テープ部１０の全範囲における電極パッド対間の電気インピーダンスを取得する。
なお、インピーダンス取得部２１０（制御部２１）の具体的な処理フローについては、後述のフローチャート図（図７）を用いて詳細に説明する。
【００３７】
なお、上述した本体部２０において構成される回路は一例であって、本実施形態においては、図４に示すような回路に限定されるものではない。例えば、図４に示す回路は、インピーダンス整合のための種々の素子（抵抗素子、コンデンサ等）や、検出精度を向上させるための増幅器（アンプ）やフィルタが適宜配されたものであってもよい。
また、上述したインピーダンス取得部２１０は、電圧計２３及び電流計２４を介して取得される電圧情報、電流情報に基づいて電極パッド対間の電気インピーダンスを取得するものとして説明したが、本実施形態の変形例に係る長さ測定装置１においては、この態様に限定されない。例えば、当該変形例に係る長さ測定装置１のインピーダンス取得部２１０は、発振源２２からの出力のインピーダンスの不整合に基づく反射成分を検出し、これに基づいて電気インピーダンスを取得するものとしてもよい。その他、電極間の電気インピーダンスを取得可能な態様であれば、どのような態様であってもよい。
【００３８】
長さ演算部２１１は、インピーダンス取得部２１０によって取得された一連の電気インピーダンス（後述する図６）を参照して、テープ部１０のうち、電気インピーダンスが所定の判定閾値以下となる電極パッド対が配列されている領域を特定し、当該特定された領域の長さを算出する。また、長さ演算部２１１は、算出した長さを示す情報（長さ情報）を、表示部２６に出力する処理を行う。
長さ演算部２１１の具体的な処理の内容については後述する。
【００３９】
図５Ａ、図５Ｂは、それぞれ、第１の実施形態に係る長さ測定装置の作用を説明する第１の図、第２の図である。
図５Ａは、テープ部１０が、測定対象物Ｘの周囲に一部巻き付けられるように配されている様子を示している。
【００４０】
図５Ａに示すように、テープ部１０が、位置Ａ１から位置Ａ２にかけて、生体である測定対象物Ｘの周囲に沿うように配されている場合を説明する。テープ部１０は、位置Ａ１から位置Ａ２にかけての領域において測定対象物Ｘに近接しており、それ以外の領域においては、測定対象物Ｘと離間している。
図５Ｂは、図５Ａに示す状態におけるテープ部１０の位置Ａ１付近を詳細に示した図である。
例えば、位置Ａ１付近において、電極パッド１００ａ、１００ｂ、１０１ａ、１０１ｂ、１０２ａ、１０２ｂが図５Ｂに示すように配されていたとする。この場合、インピーダンス取得部２１０は、測定の処理フロー（後述）に基づいて、例えば、電極パッド１００ａ−１００ｂ間、電極パッド１０１ａ−１００ｂ間、電極パッド１０１ａ−１０１ｂ間、・・・と、電極パッド対を順に変更しながら、各々の電極パッド対間の電気インピーダンスを取得していく。インピーダンス取得部２１０が取得する電気インピーダンスは、各電極パッド対間に生じる電界Ｅ０、Ｅ１、・・・、Ｅ４（図５Ｂ）に依存した値となる。
【００４１】
ここで、各電極パッド対間に生じる電界Ｅ０〜Ｅ４の経路に着目する。図５Ｂに示すように、電極パッド１００ａ、１００ｂは、測定対象物Ｘには近接しておらず、その間に生じる電界Ｅ０は大気中に生じるものとなる。一方、電極パッド１０２ａ、１０２ｂは、位置Ａ１において測定対象物Ｘに近接していることから、その間に生じる電界Ｅ４は、測定対象物Ｘ内（生体内）を通過する。したがって、電極パッド１０２ａ、１０２ｂ間の電気インピーダンスは、電極パッド１００ａ、１００ｂ間の電気インピーダンスよりも低く測定される。
すなわち、電極パッド１００ａ、１００ｂ、・・・は、位置Ａ１に向かうにつれて徐々に測定対象物Ｘに近づくため、電界Ｅ０、Ｅ１、Ｅ２、Ｅ３、Ｅ４は、その経路において、徐々に測定対象物Ｘ内を通過する領域が増えるため、各電界Ｅ０〜Ｅ４に対応する電気インピーダンスは、徐々に低下していく。
【００４２】
このように、テープ部１０が測定対象物Ｘと近接する領域においては、その領域内に属する電極パッド対間の電気インピーダンスが低く測定され、テープ部１０が測定対象物Ｘと近接しない領域においては、その領域内に属する電極パッド対間の電気インピーダンスが高く測定される。
【００４３】
図６は、第１の実施形態に係る長さ測定装置の作用を説明する第３の図である。
図６に示すグラフは、横軸にテープ部１０の位置Ａを、縦軸にその位置Ａに配される電極対間の電気インピーダンスＺを示している。
図５Ａ、図５Ｂを用いて説明したように、インピーダンス取得部２１０が取得する電気インピーダンスＺは、測定対象物Ｘに近接する領域に属する電極パッド対間において低くなり、近接していない領域に属する電極パッド対間において高くなる傾向が表れる。
したがって、図５Ａ、図５Ｂに示した状態において、インピーダンス取得部２１０が取得する電気インピーダンスＺは、図６に示すグラフのように取得される。すなわち、テープ部１０の位置Ａ１付近を境に徐々に電気インピーダンスＺが低下し、測定対象物Ｘに近接する領域（位置Ａ１〜位置Ａ２）の間、低い電気インピーダンスＺが取得される領域が続く。測定対象物Ｘから再度離間される領域が始まる位置Ａ２以降後は、再び高いインピーダンスＺが取得される。
【００４４】
ここで、長さ演算部２１１は、上述したように、インピーダンス取得部２１０によって取得された一連の電気インピーダンス（図６）を参照して、テープ部１０のうち、電気インピーダンスＺが所定の判定閾値Ｚｔｈ以下となる電極パッド対が配列されている領域を特定し、当該特定された領域の長さを算出する。
具体的には、長さ演算部２１１は、予め判定処理を行うための判定閾値Ｚｔｈを記憶している。そして、図６に示すように、この判定閾値Ｚｔｈ以下となる電気インピーダンスＺが取得された領域（近接領域α（図６））を特定する。ここで、長さ演算部２１１は、各電極パッド１００ａ、１００ｂ、・・・と、それぞれのテープ部１０上に配される位置Ａと、を対応付けて記憶している。具体的には、長さ演算部２１１は、電極パッド１００ａ、１００ｂ、・・・ごとに割り振られた識別子と、電極パッド１００ａ、１００ｂ、・・・の各々が配置されるテープ部１０上の位置（所定の基準点からの距離）と、が予め対応付けられて記憶された位置関係データ記憶部（図示せず）を有している。
これにより、長さ演算部２１１は、例えば、電極パッド１０２ａ、１０２ｂ間の電気インピーダンスＺが判定閾値Ｚｔｈ以下となることを検知して、この電極パッド１０２ａ、１０２ｂに対応するテープ部１０上の位置Ａ１において、測定対象物Ｘが近接する位置と判断することができる。
このようにして、長さ演算部２１１は、テープ部１０上において電気インピーダンスＺが判定閾値以下となる近接領域αを特定すると、次に、近接領域αの長さΔＡを算出する。具体的には、長さ演算部２１１は、近接領域αの長さΔＡを、ΔＡ＝Ａ２−Ａ１の演算により算出する。
【００４５】
図７は、第１の実施形態に係る長さ測定装置の制御部の処理フローを示す図である。
以上に説明した機能を有する制御部２１の処理フローについて、図７を参照しながら、順を追って説明する。
図７に示す制御部２１の処理フローは、利用者が長さ測定装置１を利用可能な状態にする操作を行った直後（例えば、主電源を入れた直後）から開始する。
まず、制御部２１のインピーダンス取得部２１０は、テープ部１０に周期配列される電極パッド１００ａ、１００ｂ、・・・のうち、電気インピーダンスＺを取得しようとする２つを選択する（ステップＳ１０）。ここで、インピーダンス取得部２１０は、電極選択部２５に所定の制御信号を出力し、これにより電極選択部２５を制御する。電極選択部２５は、当該制御信号に応じた配線接続処理を行い、所望の電極パッド対を選択する。
ここで、例えば、インピーダンス取得部２１０は、２つの電極パッド１００ａ、１００ｂを選択する。
【００４６】
次に、インピーダンス取得部２１０は、選択した電極パッド１００ａ、１００ｂ間の電気インピーダンスＺを取得する（ステップＳ１１）。ここで、インピーダンス取得部２１０は、まず発振源２２に対して測定開始用の制御信号を出力する。発振源２２は、測定開始用の制御信号に基づき、所定の周波数からなる交流電圧信号を出力する。この交流電圧信号は、電極パッド１００ａ、１００ｂ間の媒体を伝達し、電圧計２３、電流計２４によって検出される。インピーダンス取得部２１０は、電圧計２３、電流計２４で検出される電圧情報、電流情報を取り込んで電気インピーダンスを取得する。
【００４７】
次に、インピーダンス取得部２１０は、次の電極パッド対を選択するか否かを判定する（ステップＳ１２）。
例えば、ステップＳ１０にて、電極パッド１００ａ、１００ｂを選択したときは、インピーダンス取得部２１０は、次の電極パッドがある（ステップＳ１２：ＹＥＳ）と判定して、ステップＳ１０において、次の電極パッド対（電極パッド１００ｂ、１０１ａ）を選択する。
インピーダンス取得部２１０は、ステップＳ１０〜Ｓ１２の処理を繰り返して、テープ部１０の基準点Ｏから順に隣接する電極パッド１００ａ、１００ｂ、・・・の対の間の電気インピーダンスを取得する。そして、端部の電極パッド１０ｎａ、１０ｎｂ間の電気インピーダンスを取得した時点で電気インピーダンスの取得処理を終了する（ステップＳ１２：ＮＯ）。
【００４８】
インピーダンス取得部２１０による電気インピーダンスの取得処理（ステップＳ１０〜Ｓ１２）が終了すると、制御部２１の長さ演算部２１１は、取得した電気インピーダンスを参照して、長さΔＡの演算処理を行う（ステップＳ１３）。具体的には、上述したように、判定閾値Ｚｔｈと電気インピーダンスＺとを比較して、電気インピーダンスＺが判定閾値Ｚｔｈ以下となる近接領域αを特定する（図６参照）。そして、測定対象物Ｘに近接している領域である近接領域αの長さΔＡを算出する。
なお、長さ演算部２１１は、ステップＳ１３において、電気インピーダンスＺが判定閾値Ｚｔｈ以下となる近接領域αが存在する場合にのみ長さΔＡを算出するものとし、テープ部１２上におけるいずれの領域も判定閾値Ｚｔｈ以下となっていない場合には、長さΔＡを算出する処理を実行しなくともよい。
【００４９】
長さ演算部２１１は、算出した長さΔＡを示す長さ情報を表示部２６に出力して、算出結果（長さの測定結果）を表示し（ステップＳ１４）、測定処理を終了する。これにより、利用者は、測定対象物Ｘ（位置Ａ１〜Ａ２の領域）の長さを把握することができる。
【００５０】
長さ測定装置１の制御部２１は、ステップＳ１４終了後に一定時間待機した後、ステップＳ１０に戻って、ステップＳ１０〜Ｓ１４の一連の測定処理を定期的に繰り返すようにしてもよい。これにより、表示部２６には、常に最新の長さ測定の結果が更新されながら表示されるので、利用者の利便性が向上する。
また、制御部２１は、別途、本体部２０に設けられた「測定開始ボタン」の押下を検知したことをもって、ステップＳ１０〜Ｓ１４の一連の測定処理を実行してもよい。このようにすることで、利用者が所望するタイミング（測定開始ボタンの押下のタイミング）で長さ測定を開始することができる。さらにこの場合、長さの測定が完了した際に、電子音を出力して利用者にその旨を認識させるようにしてもよい。
【００５１】
次に、上述した第１の実施形態に係る長さ測定装置１の効果について説明する。
本実施形態に係る長さ測定装置１によれば、制御部２１は、テープ部１０上に設けられた電極パッド１００ａ、１００ｂ、・・・の各電極パッド対間の電気インピーダンスと判定閾値との比較に基づいて、測定対象物Ｘに近接する領域の長さを自動的に算出する。ここで、通常のメジャーの場合、例えば、胸郭にテープ部を巻き付けた後、交差する部分の目盛りを読み取って引き算する等の作業が必要となる。一方、本実施形態に係る長さ測定装置１によれば、利用者は、テープ部１０を測定対象物Ｘに巻き付けるだけで、巻き付けて接した部分の長さ（ΔＡ）を把握することができる。これにより、例えば、高齢者や被介護者等、体を動かすのが困難な利用者であっても、簡単に身体の測定を行うことができる。
また、通常のメジャーで自身の体に対して測定を行う場合、測定箇所によっては一人で目盛りを読み取るのが困難で、第三者に目盛りを読み取ってもらう等の対応を必要とする場合がある。しかし、本実施形態に係る長さ測定装置１によれば、利用者は、所望する箇所にテープ部１０を巻き付けるだけで表示部２６にその部分の長さを知ることができるので、肩幅や腕回り等、いかなる箇所についての測定であっても、単独で簡単に長さを把握することができる。
【００５２】
また、各電極パッド対間の電気インピーダンスは、発振源２２が生成する所定の周波数の交流電圧信号を用いて行うため、電極パッド１００ａ、１００ｂ、・・・を直接測定対象物Ｘに接触させて取得することを要さない。したがって、通常のメジャーと同じように、例えば、衣服を身に着けたまま、テープ部１０を巻き付けて長さ測定を行うことが可能となる。また、これにより、電極パッド１００ａ、１００ｂ、・・・を樹脂や繊維などで形成された被膜部１２で覆う構造とすることもでき（図２、図３Ａ、図３Ｂ参照）、電極パッド１００ａ、１００ｂ、・・・等のさびや変質を防止することができる。
【００５３】
以上、第１の実施形態に係る長さ測定装置によれば、長さの測定時における利用者の負担を軽減することができる。
【００５４】
＜第１の実施形態の変形例＞
第１の実施形態に係る長さ測定装置１は、上述の態様に限定されることはなく、例えば、以下のように変形可能である。
【００５５】
図８は、第１の実施形態の変形例に係る長さ測定装置のテープ部の構成を示す図である。
第１の実施形態に係る長さ測定装置１のテープ部１０は、図３Ａ、図３Ｂで示したように、信号配線部１００及びシールド部１１１、１１２の計３層の導体層が積層されたフレキシブル基板１１で構成される旨を説明した。しかし、第１の実施形態の変形例に係る長さ測定装置１は、この態様に限定されない。
例えば、当該変形例に係る長さ測定装置１においては、図８に示すように、引き回し配線１２０が、電極パッド１００ａ、１００ｂ、・・・が形成される層と異なる層に形成されていてもよい。この場合、電極パッド１００ａ、１００ｂ、・・・が形成される層と、引き回し配線１２０が形成される層との層間を貫くコンタクト部１２１が設けられ、各テープ部１０と引き回し配線１２０は、このコンタクト部１２１を介して接続される。
このようにすることで、図８に示すように、引き回し配線１２０を、電極パッド１００ａ、１００ｂ、・・・の裏面側に配することが可能となり、これにより、テープ部１０全体を小型化（細型化）することができる。なお、この場合、電極パッド１００ａ、１００ｂ、・・・が形成される層と、引き回し配線１２０が形成される層との間に導体層を更にもう一層追加して、引き回し配線１２０が形成された導体層のみを覆うシールド層をさらに形成してもよい。
【００５６】
図９は、第１の実施形態の他の変形例に係る長さ測定装置のテープ部の構成を示す図である。
図９に示すように、他の変形例に係る長さ測定装置１においては、電極パッド１００ａ、１００ｂ、・・・が、テープ部１０上において、千鳥状に周期配列される態様であってもよい。このようにすることで、一の電極パッド対間の電気インピーダンスを取得する際に、隣接する電極パッドとの電磁的な干渉の影響を軽減することができる。
例えば、第１の実施形態において、インピーダンス取得部２１０が、図３Ａにおける電極パッド１０１ａ、１０１ｂ間の電気インピーダンスを取得しようとする際、電極パッド１０１ａ、１０１ｂ間に生じる電界が、容量結合により、隣接する電極パッド１００ｂや電極パッド１０２ａの影響を受けて誤差を生じる場合が想定される。
しかし、図９に示す変形例に係る長さ測定装置１によれば、電極パッド１００ａ、１００ｂ、・・・を千鳥状に配している。これにより、例えば、図９における電極パッド１０１ａ、１０１ｂ間の電気インピーダンスを取得しようとする際に、隣接する電極パッド１００ｂや電極パッド１０２ａとの容量結合が低減され、その影響を最小限に留めることができる。
【００５７】
また、第１の実施形態に係る長さ測定装置１の引き回し配線１２０は、各電極パッド１００ａ、１００ｂ、・・・ごとに一本ずつ接続されて本体部２０にまで引き回されるものとして説明した。しかし、他の変形例に係る長さ測定装置１は、この態様に限定されない。例えば、当該変形例に係る長さ測定装置１のテープ部１０は、内部にマルチプレクサを有していて、このマルチプレクサにより、一本の引き回し配線１２０を複数の電極パッド１００ａ、１００ｂ、・・・で共有化する。この場合、制御部２１は、このマルチプレクサを制御して、一本の引き回し配線１２０をいずれの電極パッドに接続するかを選択する処理を行う。このようにすると、マルチプレクサの制御線を１本追加することになるが、例えば、１本の引き回し配線１２０を、１０個の電極パッドで共有化すれば、引き回し配線を９本削減できる。
このようにすることで、テープ部１０（フレキシブル基板１１）内に形成すべき引き回し本数を減らし、テープ部１０を細型化することができる。
【００５８】
また、第１の実施形態に係る長さ測定装置１は、所定の周波数からなる交流電圧信号により、測定対象物Ｘに対して非接触で電気インピーダンスを取得するものと説明した。しかし、第１の実施形態の他の変形例に係る長さ測定装置１は、電極パッド１００ａ、１００ｂ、・・・の対向面が、測定対象物Ｘに直接接触しているか否かを読み取って、その長さの測定を行うものであってもよい。この場合、例えば、テープ部１０は、「表面側Ｕ」における被膜部１２（図３Ｂ）が設けられずに、電極パッド１００ａ、１００ｂ、・・・の対向面がむき出しになって配されるものとなる。また、制御部２１は、電極パッド１００ａ、１００ｂ、・・・が測定対象物Ｘに直接接触しているか否かを、第１の実施形態と同様に、電極パッド対間の電気インピーダンスと、所定の判定閾値と、の比較によって読み取る。
このようにすることで、当該変形例に係る長さ測定装置１は、電極パッド１００ａ、１００ｂ、・・・の対向面が測定対象物Ｘに直接接触しているか否かを判定しながら長さ測定を行うので、より精度の高い測定結果を得ることができる。また、電極パッド１００ａ、１００ｂ、・・・の対向面に測定対象物Ｘの表面が直接的に接触するので、発振源２２が出力する交流電圧信号に、比較的低い周波数のものを用いることができる。よって、回路の全体構成を簡素なものとすることができる。
【００５９】
また、上述の第１の実施形態に係る長さ測定装置１のインピーダンス取得部２１０は、電極パッド１００ａ、１００ｂ、・・・のうちから２つを選択し、その間における交流電圧信号の印加及び計測を行う、いわゆる２電極法を用いているが、他の実施形態に係る長さ測定装置１は、この態様に限定されない。例えば、当該他の実施形態に係る長さ測定装置１のインピーダンス取得部２１０は、電極パッド１００ａ、１００ｂ、・・・のうちから４つを選択し、その両端に位置する電極パッド対間に交流電圧信号を印加するとともに、内側に位置する電極パッド対間に生じる電圧、電流を計測して電気インピーダンスを取得するものとしてもよい。このようにすることで、インピーダンス取得部２１０は、電極パッド１００ａ、１００ｂ、・・・、引き回し配線１２０等による誤差要因を低減した精度の高い電気インピーダンス測定を行うことができる。
【００６０】
また、上述の第１の実施形態に係る長さ測定装置１は、テープ部１０を、電極パッド１００ａ、１００ｂ、・・・、シールド部１１１、１１２等がパターニング及び積層されたフレキシブル基板１１と、全体を覆う被膜部１２と、で構成する態様であることを説明した。しかし、テープ部１０においてフレキシブル基板１１を用いる態様は、一例にすぎず、他の方法によってテープ部１０を構成することも可能である。
例えば、第１の実施形態の他の変形例に係る長さ測定装置１において、テープ部１０は、導電性を有する導電性繊維と、非導電性繊維（通常の絶縁性を有する繊維）とを組み合わせて作製されるものであってもよい。具体的には、フレキシブル基板１１の代わりに、導電性繊維が電極パッド１００ａ、１００ｂ、・・・、及び、引き回し配線１２０のレイアウト（図３Ａ）と同様のパターンに織り込まれた繊維（電極用繊維）をテープ部１０に採用してもよい。またこの場合、シールド部１１１、１１２と同様のパターン（図３Ａ）に織り込まれた導電性繊維を有する繊維（シールド用繊維）をもって、上記電極用繊維を挟み込むような構成としてもよい。このようにすることで、第１の実施形態におけるフレキシブル基板１１と同様の構成を、導電性繊維及び通常の繊維のみで作製することができる。これにより、テープ部１０をより安価に作成することができ、長さ測定装置１の製造コスト削減を図ることができる。
【００６１】
上述の実施形態に係る長さ測定装置１は、内部に記憶部を有し、連続して取得される複数の長さ情報を記憶できる機能を有していてもよい。具体的には、長さ演算部２１１は、別途備えられた記憶部に対し、逐次算出する長さ情報を記憶して蓄積する。この場合、長さ測定装置１は、利用者の操作に応じて、記憶部に記憶、蓄積された複数の長さ情報を任意に表示部２６に表示できる機能を有していてもよい。
このようにすることで、利用者は、例えば測定対象物の縦・横・奥行などを連続して測定したときに、その連続して測定した長さ情報ごとにメモ等を行う必要がなくなるため、測定作業を効率化させることができる。
【００６２】
また、長さ測定装置１は、内部に所定の通信部を有し、この通信部を介して長さ演算部２１１が算出した長さ情報、若しくは、上記記憶部に蓄積された長さ情報を外部サーバへ転送する機能を備えていてもよい。この場合、長さ測定装置１は、複数の長さ情報を外部サーバー（スマートフォンなども含む）に連続して記録し、必要なときに逐次読み取る機能を有してもよい。
【００６３】
＜第２の実施形態＞
次に、第２の実施形態に係る長さ測定装置を、図面を参照して説明する。
第２の実施形態に係る長さ測定装置１の機能構成は、第１の実施形態に係る長さ測定装置１の機能構成と同一であるため、機能構成の図示を省略するとともに、各機能部には同一の符号を付してその説明を省略する。
第２の実施形態係る長さ測定装置１は、その制御部２１（インピーダンス取得部２１０、長さ演算部２１１）の処理内容が相違する点で、第１の実施形態と異なる。以下、図４を参照しながら、第２の実施形態に係るインピーダンス取得部２１０及び長さ演算部２１１の機能について説明する。
【００６４】
第２の実施形態に係るインピーダンス取得部２１０は、まず、第１の離間距離を隔てて配された電極パッド１００ａ、１００ｂ、・・・の対を複数選択し、当該複数の電極パッド対ごとに、その間の電気インピーダンスを取得する第１の取得ステップを実行する。次に、インピーダンス取得部２１０は、第１の離間距離よりも大きい第２の離間距離を隔てて配された電極パッド対を複数選択し、当該複数の電極パッド対ごとに、その間の電気インピーダンスを取得する第２の取得ステップを実行する。
ここで例えば、第１の離間距離が隣接する電極パッド間の距離であるとし、第２の離間距離が電極パッド３つ分の離間距離であるとして説明する。
つまり、この場合、インピーダンス取得部２１０は、第１の取得ステップにおいて、隣接する電極パッド対（例えば、電極パッド１００ａと１００ｂの対、１０１ａと１００ｂの対、１０１ａと１０１ｂの対、・・・）ごとに電気インピーダンスを取得する。この第１の取得ステップに係る電気インピーダンスの取得処理は、第１の実施形態に係るインピーダンス取得部２１０と同一の処理内容である。
第２の実施形態に係るインピーダンス取得部２１０は、第１の取得ステップ後、更に、第２の取得ステップを実行する。具体的には、インピーダンス取得部２１０は、第２の取得ステップにおいて、電極パッド３つ分の離間距離を隔てた電極パッド対ごとに、その間の電気インピーダンスを取得する。例えば、インピーダンス取得部２１０は、第２の取得ステップにおいて、電極パッド１００ａと、この電極パッド１００ａから電極パッド３つ分の距離を隔てて配される電極パッド１０１ｂと、を選択し、この電極パッド対間の電気インピーダンスを取得する。
【００６５】
また、第２の実施形態に係る長さ演算部２１１は、第１の取得ステップによって取得された電気インピーダンスと、第２の取得ステップによって取得された電気インピーダンスの両方を参照して、長さΔＡを算出する。この具体的な処理内容については、後述のフローチャート図（図１２、図１３）を用いて説明する。
【００６６】
図１０Ａ、図１０Ｂは、それぞれ、第２の実施形態に係る長さ測定装置の作用を説明する第１の図、第２の図である。
図１０Ａは、テープ部１０が、測定対象物Ｘの周囲の一部に巻き付けられるように配されている様子を示している。
【００６７】
図１０Ａに示すように、テープ部１０は、位置Ａ１から位置Ａ２にかけて、生体である測定対象物Ｘの周囲に沿うように巻き付けられて配されている。なお、テープ部１０は、位置Ａ１と、位置Ａ２の周辺において測定対象物Ｘに近接しているが、位置Ａ１から位置Ａ２の間の領域の一部に隙間Ｍを有し、測定対象物Ｘからわずかに離間した領域が存在している。このように、長さ測定装置１を生体の長さ測定に用いる場合、測定対象物Ｘ（生体）の巻き付ける箇所によっては、体の凹凸や衣服のしわ等の影響により、テープ部１０の一部と測定対象物Ｘの間に隙間が生じる状況が想定される。
【００６８】
図１０Ｂは、図１０Ａに示す状態におけるテープ部１０の隙間Ｍが存在する部分を詳細に示した図である。
例えば、隙間Ｍ付近において、電極パッド１００ａ、１００ｂ、１０１ａ、１０１ｂ、１０２ａ、１０２ｂが図１０Ｂに示すように配されていたとする。この場合、インピーダンス取得部２１０は、第１の取得ステップに基づいて、例えば、電極パッド１００ａ−１００ｂ間、電極パッド１０１ａ−１００ｂ間、電極パッド１０１ａ−１０１ｂ間、・・・と、電極パッド対を順に変更しながら、互いに隣接する電極パッド対間の電気インピーダンスを順次取得していく。
【００６９】
ここで、隙間Ｍの領域において、隣接する電極パッド１００ａ−１００ｂ間に生じる電界Ｅ０に着目する。この場合、電極パッド１００ａ−１００ｂ間の離間距離に応じて電界Ｅ０の発生領域は狭く限定されるため、電界Ｅ０の発生領域は、隙間Ｍを介して存在する測定対象物Ｘを含まない。したがって、電極パッド１００ａ−１００ｂ間の電気インピーダンスは、測定対象物Ｘの有無の影響を受けず、測定対象物Ｘと近接しない範囲において取得される電気インピーダンスと同様の高い値が取得される。電極パッド１０１ａ−１００ｂ間、電極パッド１０１ａ−１０１ｂ間で取得される電気インピーダンスも同様となる。
つまり、テープ部１０と測定対象物Ｘとの間に隙間Ｍが生じていた場合、隣接する電極パッド間に生じる電界（電界Ｅ０）では、隙間Ｍを介して存在する測定対象物Ｘを感知することができない。
【００７０】
次に、図１０Ｂを参照しながら、本実施形態に係るインピーダンス取得部２１０が実行する第２の取得ステップについて説明する。
上述の例による第２の取得ステップでは、インピーダンス取得部２１０は、電極パッド３つ分の離間距離を隔てた電極パッド対間の電気インピーダンスを取得する。具体的には、図１０Ｂのように、電極パッド１００ａ−１０１ｂ間、電極パッド１００ｂ−１０２ａ間、電極パッド１０１ａ−１０２ｂ間、・・・の電気インピーダンスを順次取得していく。
この場合、電極パッド対の間隔が第１の取得ステップで取得したときよりも広いため、これに応じて、その間に生じる電界（図１０Ｂの電界Ｅ０’、Ｅ１’、Ｅ２’）の発生領域も拡張される。したがって、図１０Ｂに示すように、電界Ｅ０’、Ｅ１’、Ｅ２’は、隙間Ｍを介して存在する測定対象物Ｘの領域を通過するので、各電極パッド対間の電気インピーダンスが、測定対象物Ｘの影響を受けて低下する。
このように、第２の取得ステップでは、隙間Ｍが存在する領域においても、測定対象物Ｘの存在を検出することができる。
【００７１】
図１１は、第２の実施形態に係る長さ測定装置の作用を説明する第３の図である。
図１１に示すグラフは、図６と同様、横軸にテープ部１０の位置Ａを、縦軸にその位置Ａに配される電極対間の電気インピーダンスＺを示している。また、第１の取得ステップで取得した電気インピーダンスを破線で、第２の取得ステップで取得した電気インピーダンスを実線で示している。
図１０Ｂで説明したように、インピーダンス取得部２１０が第１の取得ステップで取得する電気インピーダンスＺは、隙間Ｍが存在する領域では測定対象物Ｘの影響を受けないため、図１１の破線で示したように、隙間Ｍが存在する領域で電気インピーダンスが高く検出される。したがって、長さ演算部２１１が判定閾値Ｚｔｈをもって判定を行うと、判定閾値Ｚｔｈ以下となる領域である近接領域αが、判定閾値Ｚｔｈを上回る領域である非近接領域βを隔てて複数存在するため、利用者が本来知ろうとする長さΔＡ’を正しく算出できない場合がある。
【００７２】
一方、インピーダンス取得部２１０が第２の取得ステップで取得する電気インピーダンスＺは、隙間Ｍが存在する領域においても測定対象物Ｘの影響を受けるので、図１１の実線で示したように、隙間Ｍが存在する領域であっても電気インピーダンスが低く検出される。したがって、長さ演算部２１１は、判定閾値Ｚｔｈによる判定により、位置Ａ１〜位置Ａ２間において測定対象物Ｘが一続きになっていることを判別することができ、その長さΔＡ’を正しく算出することができる。
【００７３】
図１２は、第２の実施形態に係る長さ測定装置の制御部の処理フローを示す第１の図である。
以上に説明した機能を有する制御部２１の処理フローについて、図１２を参照しながら、順を追って説明する。なお、第１の実施形態と同一の処理内容については、同一の符号を付してその説明を省略する。
図１２に示す制御部２１の処理フローは、利用者が長さ測定装置１を利用可能な状態にする操作を行った直後（例えば、主電源を入れた直後）から開始する。
まず、制御部２１のインピーダンス取得部２１０は、第１の取得ステップを開始する。この際、インピーダンス取得部２１０は、第１の取得ステップにおいて選択する電極パッドの離間距離として、隣接する電極パッド間距離（離間距離ｄ＝“１”）を設定する（ステップＳ２０）。
【００７４】
次に、インピーダンス取得部２１０は、ステップＳ１０〜Ｓ１２において、隣接する電極パッド１００ａ−１００ｂ、１０１ａ−１００ｂ、・・・を選択しながら、各々の電極パッド対間の電気インピーダンスを順次取得する。全ての電極パッド対間の電気インピーダンスを取得すると（ステップＳ１２：ＮＯ）、第１の取得ステップを終了してステップＳ２１へ進む。
【００７５】
次に、インピーダンス取得部２１０は、第２の取得ステップが終了しているか否かを判定する（ステップＳ２１）。ここで、第１の取得ステップのみが終了している場合（ステップＳ２１：ＮＯ）は、ステップＳ２２へ進む。一方、第２の取得ステップが終了している場合（ステップＳ２１：ＹＥＳ）は、ステップＳ１３へ進む。
【００７６】
第１の取得ステップが終了した場合、インピーダンス取得部２１０は、第２の取得ステップを開始する。この際、インピーダンス取得部２１０は、選択する電極パッドの離間距離を、第１の取得ステップにおける離間距離よりも大きい離間距離、例えば、電極パッド３つ分の離間距離（離間距離ｄ＝“３”）に変更する（ステップＳ２２）。
【００７７】
次に、インピーダンス取得部２１０は、再度、ステップＳ１０〜Ｓ１２において、電極パッド３つ分の離間距離を隔てた電極パッド１００ａ−１０１ｂ、１０２ａ−１００ｂ、・・・を選択しながら、各々の電極パッド対間の電気インピーダンスを順次取得する。全ての電極パッド対間の電気インピーダンスを取得すると（ステップＳ１２：ＮＯ）、第２の取得ステップを終了し、ステップＳ２１を介してステップＳ２３へ進む。
【００７８】
本実施形態に係る長さ演算部２１１は、上記第１の取得ステップ、第２の取得ステップを経て電気インピーダンスを取得すると、これらを参照して、測定対象物Ｘの長さΔＡの演算処理を行う（ステップＳ２３）。ステップＳ２３における演算処理の具体的な内容については後述する。
【００７９】
長さ演算部２１１は、算出した長さΔＡを示す長さ情報を表示部２６に出力して、算出結果（長さの測定結果）を表示し（ステップＳ１４）、測定処理を終了する。これにより、利用者は、測定対象物Ｘ（位置Ａ１〜Ａ２の領域）の長さを把握することができる。
【００８０】
なお、本実施形態に係る長さ測定装置１の制御部２１は、第１の実施形態と同様に、ステップＳ１４終了後に一定時間待機した後、ステップＳ１０に戻って、ステップＳ１０〜Ｓ１４の一連の測定処理を定期的に繰り返すようにしてもよい。また、制御部２１は、別途、本体部２０に設けられた「測定開始ボタン」の押下を検知したことをもって、ステップＳ１０〜Ｓ１４の一連の測定処理を実行してもよい。
【００８１】
図１３は、第２の実施形態に係る長さ測定装置の制御部の処理フローを示す第２の図である。
次に、図１３を参照しながら、長さ演算部２１１が実行する長さΔＡの演算処理（図１２、ステップＳ２３）について説明する。
本実施形態に係る長さ演算部２１１は、まず、第１の実施形態と同様に、第１の取得ステップによって取得された電気インピーダンスＺが、判定閾値Ｚｔｈ以下となる領域である「近接領域α」と、判定閾値Ｚｔｈを上回る領域である「非近接領域β」と、を特定する（ステップＳ２３０）。
次に、長さ演算部２１１は、近接領域αと非近接領域βの特定を完了すると、近接領域αが非近接領域βを隔てて複数存在するか否かを判定する（ステップＳ２３１）。具体的には、長さ演算部２１１は、電極パッド対ごとに取得された電気インピーダンス値Ｚを順に参照していき、判定閾値Ｚｔｈ以下となるような電極パッド対が連続して存在する区間を一つの「近接領域α」と特定する。そして、その後の「非近接領域β」の領域が続いた後、再度、電気インピーダンス値Ｚが判定閾値Ｚｔｈ以下となる電極パッド対が現れた場合には、これを２つ目の「近接領域α」と特定する。
例えば、図１１に示すような状態の場合は、隙間Ｍの存在により近接領域αが非近接領域βを隔てて複数（２つ）存在している。この場合、長さ演算部２１１は、ステップＳ２３１で“ＹＥＳ”と判定する。
【００８２】
非近接領域βが存在せず近接領域αが一つのみ存在する場合（ステップＳ２３１：ＮＯ）は、長さ演算部２１１は、第１の実施形態と同一の処理を行う。すなわち、長さ演算部２１１は、単一の近接領域αの長さΔＡ（＝Ａ１−Ａ２）を算出する（ステップＳ２３２）。
【００８３】
一方、近接領域αが非近接領域βを隔てて複数存在する場合（ステップＳ２３１：ＹＥＳ）、長さ演算部２１１は、第２の取得ステップで取得した電気インピーダンスを参照する（ステップＳ２３３）。
ここで、長さ演算部２１１は、第１の取得ステップで特定された非近接領域βに対応する電極パッド対において、第２の取得ステップで取得した電気インピーダンスＺが判定閾値Ｚｔｈ以下となるか否かを判定する（ステップＳ２３４）。
【００８４】
第１の取得ステップで特定された非近接領域βに対応する電極パッド対において、第２の取得ステップで取得した電気インピーダンスＺが判定閾値Ｚｔｈ以下となっていた場合（ステップＳ２３４：ＹＥＳ）、長さ演算部２１１は、非近接領域βには、わずかな隙間（隙間Ｍ）を介して、測定対象物Ｘが存在しているものとみなし、非近接領域βを隔てて複数の近接領域αが存在する領域全体の長さΔＡ’（図１１）を算出する（ステップＳ２３５）。
一方、非近接領域βにおいて、第２の取得ステップで取得した電気インピーダンスＺが判定閾値Ｚｔｈを再度上回っていた場合（ステップＳ２３４：ＮＯ）、長さ演算部２１１は、複数の近接領域αを示す測定対象物Ｘが分離しているものとみなして、何れか（例えば、長さが最も長い近接領域α）の長さΔαを算出する（ステップＳ２３６）。
【００８５】
このような処理により、例えば図１０Ａ、図１０Ｂのような隙間Ｍが存在する状況であっても、長さ演算部２１１は、その領域（非近接領域β）において測定対象物Ｘが存在するとみなして、利用者が実際に知ろうとする長さ（位置Ａ１〜位置Ａ２の範囲の長さΔＡ’）を算出することができる。
【００８６】
以上、第２の実施形態に係る長さ測定装置１によれば、テープ部１０と測定対象物Ｘの間にわずかな隙間が生じた状態であっても、その隙間の有無によって測定結果が変動することなく、利用者が所望する長さを精度よく測定することができる。
【００８７】
なお、上述の第２の実施形態に係る長さ測定装置は、隣接する電極パッド間の電気インピーダンスを取得する第１の取得ステップと、より大きい離間距離を隔てた電極パッド間の電気インピーダンスを取得する第２の取得ステップと、を実行することを説明したが、本実施形態の変形例に係る長さ測定装置においてはこの方法に限定されない。例えば、当該変形例に係る長さ測定装置は、第２の取得ステップにおける電極パッドの離間距離よりもさらに大きい離間距離を隔てた電極パッド間の電気インピーダンスを取得する第３の取得ステップ、第４の取得ステップを実行してもよい。
【００８８】
＜第３の実施形態＞
次に、第３の実施形態に係る長さ測定装置を、図面を参照して説明する。
図１４は、第３の実施形態に係る長さ測定装置のテープ部の構成を示す図である。なお、第１の実施形態と同一の構成については、同一の符号を付してその説明を省略する。
図１４に示すように、第３の実施形態係る長さ測定装置１のテープ部１０は、曲率センサの一態様である複数の歪みゲージ１４０、１４１、・・・１４ｍ（ｍは１以上の整数）を長手方向に沿って、一定の間隔Ｂで周期配列している。
歪みゲージ１４０、１４１、・・・は、自身に与えられる歪み（曲げ）の度合いに応じた検出信号を出力するセンサである。
【００８９】
本実施形態において、歪みゲージ１４０、１４１、・・・は、電極パッド１００ａ、１００ｂ、・・・及び引き回し配線１２０と同一面（信号配線部１００、図３Ｂ参照）に形成される。したがって、歪みゲージ１４０、１４１、・・・は、テープ部１２の面内のうち電極パッド１００ａ、１００ｂ、・・・が配されていない領域に配される。
【００９０】
図１５は、第３の実施形態に係る長さ測定装置の本体部の機能構成を示す図である。
第１の実施形態と同一の機能構成については、同一の符号を付してその説明を省略する。
図１５に示すように、第３の実施形態に係る長さ測定装置１の本体部２０は、制御部２１において形状推定部２１２を備えている。
形状推定部２１２は、歪みゲージ１４０、１４１、・・・から取得されたそれぞれの歪み状態を示す検出信号に基づいて、測定対象物Ｘのうち、テープ部１０が巻かれた部分（図５Ａ）の形状を推定する。
具体的には、まずインピーダンス取得部２１０は、電極選択部２５を介して各歪みゲージ１４０、１４１、・・・に所定の入力信号を供給する。次に、インピーダンス取得部２１０は、各歪みゲージ１４０、１４１、・・・の上記入力信号に対する応答信号であって、その曲率半径に応じた検出信号を取得する。そして、インピーダンス取得部２１０は、取得した検出信号を形状推定部２１２に出力する。
形状推定部２１２は、例えば、テープ部１０上に配される間隔Ｂの情報を予め把握しておき、この情報と、選択された歪みゲージ１４０、１４１、・・・のそれぞれにおける検出信号から算出される曲率半径ｒ０、ｒ１、・・・と、を組み合わせて、測定対象物Ｘに巻かれているテープ部１０の形状を推定することができる。
また、形状推定部２１２は、電極パッド１００ａ、１００ｂ、・・・から取得される電気インピーダンスに基づいて特定される「近接領域α」を参照して、当該「近接領域α」に属する歪みゲージ１４０、１４１、・・・のみから供給される検出信号を用いて、テープ部１０の「近接領域α」に係る部分の形状を推定してもよい。
【００９１】
このようにすることで、利用者は、テープ部１０を巻き付けた部分の長さのみならず、その部分の形状を把握することができる。したがって、例えば、バスト、ウエスト、ヒップ等の項目に対応する形状情報を取得して組み合わせることで、簡易的に体型の立体的形状を示す三次元形状情報を取得することができる。
【００９２】
また、長さ測定装置１は、形状推定部２１２が取得した形状情報を、通信部２７を介して外部サーバに送信できるようにしてもよい（図１５）。このようにすることで、長さ測定装置１を用いて取得した自己の体型の形状情報を外部サーバに蓄積し、適宜利用することができる。例えば、利用者は、定期的に取得した自己の身体についての形状情報に基づいて、ダイエットの効果等を定量的に評価することが可能となる。
【００９３】
なお、本実施形態において、歪みゲージ１４０、１４１、・・・は、電極パッド１００ａ、１００ｂ、・・・と同一面（信号配線部１００）に形成されるものとして説明したが、他の実施形態においてはこの態様に限定されない。例えば、歪みゲージ１４０、１４１、・・・は、フレキシブル基板１１において、電極パッド１００ａ、１００ｂ、・・・とは異なる層に形成されてもよい。
この場合、電極パッド１００ａ、１００ｂ、・・・が形成される層（信号配線部１００）と、歪みゲージ１４０、１４１、・・・が形成される層とは、一つ以上の絶縁層（及び、場合によってはシールド層）を介して電気的に分離される。
【００９４】
また、この場合において、各歪みゲージ１４０、１４１、・・・は、他の層（信号配線部１００）に形成された電極パッド１００ａ、１００ｂ、・・・の各々と、層間方向に重なって一致するように形成されることで、見かけ上、電極パッド１００ａ、１００ｂ、・・・と一体に形成される態様としてもよい。このようにすることで、テープ部１２の面積（幅方向の長さ）を縮小することができる。
【００９５】
なお、上述の各実施形態に係る長さ測定装置１は、いずれも「生体」の周囲長を測定する例を挙げてその機能を説明したが、各実施形態に係る長さ測定装置１の測定対象物は、「生体」に限定されることはなく、例えば、工業製品の寸法や周囲長を測定することも可能である。この場合、長さ測定装置１は、測定対象物の種別（生体・金属・非金属等）に応じて、判定閾値Ｚｔｈを変更する機能を有していてもよい。具体的には、制御部２１が、利用者の操作を受け付けて測定対象物の種別を選択する種別選択部を備える態様であってもよい。この場合、当該種別選択部が、選択された測定対象物の種別に応じて判定閾値Ｚｔｈの値を変更する。
【００９６】
また、本実施形態に係る長さ演算部２１１は、電気インピーダンスＺが判定閾値Ｚｔｈ以下となった場合に、当該判定閾値Ｚｔｈ以下となる電気インピーダンスＺが取得された電極パッド対が存在する領域を「近接領域α」とみなし、この近接領域αの長さＡを算出するものとして説明した。しかし、他の実施形態においてはこの態様には限定されず、例えば、電気インピーダンスＺが判定閾値Ｚｔｈ以上となった場合に、当該判定閾値Ｚｔｈ以上の電気インピーダンスＺが取得された領域の長さを算出する態様であってもよい。
【００９７】
なお、第３の実施形態に係る長さ測定装置１は、テープ部１０上に周期配列された「歪みゲージ」（歪みゲージ１４０、１４１、・・・）から取得される曲率データに基づいて、測定対象物Ｘの輪郭の形状を精度よく推定する旨を説明したが、「歪みゲージ」は、当該歪みゲージの各々が配される位置における曲率データを取得するための「曲率センサ」の一態様に過ぎない。第３の実施形態に係る長さ測定装置１は、曲率データを取得するために必ずしも歪みゲージを用いる必要はなく、曲率データを取得可能な他の態様からなる曲率センサを用いても構わない。曲率センサの一態様としては、例えば、導電性インクを応用した曲率センサ等が挙げられる。この導電性インクを用いた曲率センサは、湾曲自在な基板の表面に塗布（プリント）された導電性インクが当該基板の湾曲に伴って伸長又は圧縮されることで、当該導電性インクの電気抵抗が変化することを利用して作製される。
【００９８】
更に、他の実施形態において、上記曲率センサは、２つの歪みゲージ（上述の歪みゲージ１４０、１４１、・・・と同様のもの）を対にして構成されるものであってもよい。具体的には、当該他の実施形態に係る曲率センサは、２つの歪みゲージと抵抗値が既知の抵抗素子とがブリッジ回路をなすように電気的に接続される。このようにすることで、温度変化や引張・圧縮応力が発生した時に、これら誤差要因が２つの歪みゲージ両方に影響し、両方で同様の特性の変化とそれに伴う抵抗値の変化を起こすため、検出信号（電位差）自体は変わらず、ひずみゲージに働く誤差原因を低減できる。
また、この場合において、上記２つの歪みゲージは、フレキシブル基板１１において、同一層に並べて配置されていてもよいし、絶縁層を介して２層に重なるように配置されていてもよい。
また、更に別の実施形態に係る曲率センサは、３つ以上（例えば４つ）の歪みゲージがブリッジ回路をなすように電気的に接続される態様であってもよい。
【００９９】
＜第４の実施形態＞
次に、第４の実施形態に係る長さ測定装置を、図面を参照して説明する。
図１６は、第４の実施形態に係る長さ測定装置の本体部の機能構成を示す図である。
第１の実施形態と同一の機能構成については、同一の符号を付してその説明を省略する。また、第４の実施形態に係る長さ測定装置１のテープ部１０の構成は、第１の実施形態と同一であるため、図示を省略する。
【０１００】
図１６に示すように、本実施形態に係る長さ測定装置１の制御部２１は、体脂肪率演算部２１３を備えている。
体脂肪率演算部２１３は、インピーダンス取得部２１０が取得した電気インピーダンスに基づいて、テープ部１０が巻かれた生体の体脂肪率（正確には、生体のうちテープ１０が巻かれた局所部分における局所脂肪含有率）を算出する。具体的には、体脂肪率演算部２１３は、特定された近接領域αにおける電気インピーダンスを分析して、その部分における体脂肪の含有率を算出する。なお、電気インピーダンスから体脂肪の含有率を算出する手法は、広く一般に知られている手法を用いることができる。
これにより、本実施形態に係る長さ測定装置１は、テープ部１０を巻き付けた部分における局所脂肪含有率を算出することができるので、利用者は、長さ測定装置１を用いることで自己の身体の局所的な領域（例えば二の腕等）における体脂肪の含有率を把握することができる。
【０１０１】
なおこの場合、インピーダンス測定部２１０は、電極選択部２５を介して、電極パッド１００ａ、１００ｂ、・・・と、発振源２２との接続を、体脂肪率測定に適するように接続する機能を有していてもよい。具体的には、例えば、インピーダンス測定部２１０は、電極パッド１００ａ、１００ｂ、１０１ａ、１０１ｂ、１０２ａ、１０２ｂ等の所定領域に連続して配される電極パッドを「陽極電極」とし、１０７ａ、１０７ｂ、１０８ａ、１０８ｂ、１０９ａ、１０９ｂ等の他の領域に連続して配される電極パッドを「陰極電極」として、体脂肪率測定用のインピーダンス測定を行ってもよい。
さらに、インピーダンス測定部２１０は、上記体脂肪率測定用の「陽極電極」、「陰極電極」の領域を特定するにあたり、先に実施した長さ測定用の電気インピーダンス（図６等）を参照しながら特定するようにしてもよい。
【０１０２】
なお、体脂肪率を算出するには、電極パッド１００ａ、１００ｂ、・・・を生体（身体）に直接接触させて取得した電気インピーダンスを用いた方が、測定精度の面で好ましいが、本実施形態に係る長さ測定装置１は、このような態様に限定されることはなく、体脂肪率演算部２１３は、生体と非接触で取得した電気インピーダンスに基づいて体脂肪率を算出するものであってもよい。
また、長さ測定装置１は、体脂肪率演算部２１３が取得した体脂肪率を、通信部２７を介して外部サーバに送信できるようにしてもよい（図１６）。
【０１０３】
上述の説明において、各実施形態に係る長さ測定装置１は、内部にコンピュータシステムを有していてもよい。そして、上述した長さ測定装置１の各処理の過程は、プログラムの形式でコンピュータ読み取り可能な記録媒体に記憶されており、このプログラムをコンピュータが読み出して実行することによって、上記処理が行われてもよい。ここで、コンピュータ読み取り可能な記録媒体とは、磁気ディスク、光磁気ディスク、ＣＤ−ＲＯＭ（Compact Disk Read Only Memory）または半導体メモリ等をいう。また、このコンピュータプログラムを通信回線によってコンピュータに配信し、この配信を受けたコンピュータが当該プログラムを実行するようにしてもよい。
【０１０４】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【０１０５】
図１７は、形状推定装置の機能構成を示す図である。
図１７に示すように、形状推定装置の本体部２０は、複数の歪みゲージ１４０、１４１、・・・が長手方向に沿って配列されるとともに、測定対象物の周囲に巻かれて用いられるテープ部と、複数の歪みゲージ１４０、１４１、・・・により検出される曲率半径に基づいて、上記テープ部のうち測定対象物の周囲に巻かれた領域の形状を推定する形状推定部２１２と、を備えている。
なお、図１７に示した上記形状推定装置の各機能構成については、上述した各実施形態に係る長さ測定装置１において対応する各機能構成（図４）と同様である。
【０１０６】
図１８は、体脂肪率測定装置の機能構成を示す図である。
図１８に示すように、体脂肪率測定装置の本体部２０は、複数の電極パッド１００ａ、１００ｂ、・・・が長手方向に沿って周期配列されるとともに、生体の周囲に巻かれて用いられるテープ部と、複数の電極パッド１００ａ、１００ｂ、・・・の中から、電極パッド対を複数選択するとともに、当該複数の電極パッド対ごとに、その間の電気インピーダンスを取得するインピーダンス取得部２１０と、インピーダンス取得部２１０が取得した電気インピーダンスに基づいて、上記テープ部が巻かれた生体の体脂肪率を算出する体脂肪率演算部２１３と、を備えている。
なお、図１８に示した上記体脂肪率測定装置の各機能構成については、上述した各実施形態に係る長さ測定装置１において対応する各機能構成（図４）と同様である。
【産業上の利用可能性】
【０１０７】
上述の各実施形態によれば、輪郭の形状や大きさが異なる種々の測定対象に対しても、簡素で、かつ、より正確な診断を行うことができる。
【符号の説明】
【０１０８】
１  長さ測定装置
１０  テープ部
１００  信号配線部
１１１、１１２  シールド部
１１３  絶縁層
１００ａ、１００ｂ、・・・、１０ｎａ、１０ｎｂ  電極パッド
１１  フレキシブル基板
１２  被膜部
１２０  引き回し配線
１３  コネクタ
１４０、１４１、・・・１４ｍ  歪みゲージ
２０  本体部
２１  制御部
２１０  インピーダンス取得部
２１１  長さ演算部
２１２  形状推定部
２１３  体脂肪率演算部
２２  発振源
２３  電圧計
２４  電流計
２５  電極選択部
２６  表示部
２７  通信部
【図１】
2015046058.tif 000003
【図２】
2015046058.tif 000004
【図３Ａ】
2015046058.tif 000005
【図３Ｂ】
2015046058.tif 000006
【図４】
2015046058.tif 000007
【図５Ａ】
2015046058.tif 000008
【図５Ｂ】
2015046058.tif 000009
【図６】
2015046058.tif 000010
【図７】
2015046058.tif 000011
【図８】
2015046058.tif 000012
【図９】
2015046058.tif 000013
【図１０Ａ】
2015046058.tif 000014
【図１０Ｂ】
2015046058.tif 000015
【図１１】
2015046058.tif 000016
【図１２】
2015046058.tif 000017
【図１３】
2015046058.tif 000018
【図１４】
2015046058.tif 000019
【図１５】
2015046058.tif 000020
【図１６】
2015046058.tif 000021
【図１７】
2015046058.tif 000022
【図１８】
2015046058.tif 000023
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
複数の電極パッドが長手方向に配列されるとともに、測定対象物の周囲に巻かれて用いられるテープ部と、
前記複数の電極パッドの中から、任意の電極パッド対を選択するとともに、当該電極パッド対の間の電気インピーダンスを取得するインピーダンス取得部と、
前記電極パッド対のインピーダンス変化に基づき前記電極パッド対の間の長さを算出する長さ演算部と、
前記複数の電極パッドの位置関係を示す位置関係データを記憶させた位置関係データ記憶部と、を有し、
前記長さ演算部において、前記位置関係データを用いて前記電極パッド対の間の長さの演算が行われることを特徴とし、
前記インピーダンス取得部は、前記電極パッド対を複数選択するとともに、当該電極パッド対ごとに、その間の電気インピーダンスを取得し、
前記長さ演算部は、前記テープ部のうち、前記電気インピーダンスが判定閾値以下となる電極パッド対が配列されている領域を特定し、当該特定された領域の長さを算出し、
更に、前記インピーダンス取得部は、第１の離間距離を隔てて配された電極パッド対を複数選択し、当該複数の電極パッド対ごとに、その間の電気インピーダンスを取得する第１の取得ステップと、前記第１の離間距離よりも大きい第２の離間距離を隔てて配された電極パッド対を複数選択し、当該複数の電極パッド対ごとに、その間の電気インピーダンスを取得する第２の取得ステップと、を実行する
長さ測定装置。
【請求項２】
前記テープ部が、フレキシブル基板の上の前記複数の電極パッドを配列することによって形成される
請求項１に記載の長さ測定装置。
【請求項３】
前記長さ演算部は、
前記電気インピーダンスが判定閾値以上又は当該判定閾値以下となった場合に、前記長さを算出する
ことを特徴とする請求項１又は請求項２に記載の長さ測定装置。
【請求項４】
（削除）
【請求項５】
（削除）
【請求項６】
前記長さ演算部は、前記テープ部のうち、前記第１の取得ステップで取得する電気インピーダンスが前記判定閾値以下となる領域である近接領域が、前記判定閾値を上回る領域である非近接領域を隔てて複数存在する場合には、当該非近接領域において、前記第２の取得ステップで取得する電気インピーダンスが前記判定閾値以下となるか否かを判定するとともに、当該判定閾値以下となっている場合には、複数の前記近接領域が存在する領域全体の長さを算出する
請求項１に記載の長さ測定装置。
【請求項７】
前記テープ部は、表面が絶縁体からなる被膜部により被膜されている
請求項１から請求項６の何れか一項に記載の長さ測定装置。
【請求項８】
前記テープ部は、前記被膜部の内側において、前記複数の電極パッドの何れか一方の面と、当該電極パッドに接続された引き回し配線の両面と、を覆うように形成された導体からなるシールド部をさらに備える
請求項７に記載の長さ測定装置。
【請求項９】
前記テープ部は、前記電極パッド及びこれに接続された引き回し配線を、導電性を有する繊維で形成している
請求項１から請求項８の何れか一項に記載の長さ測定装置。
【請求項１０】
前記テープ部は、更に、複数の曲率センサを長手方向に沿って配列し、前記複数の曲率センサにより検出される曲率半径に基づいて、前記テープ部のうち、前記測定対象物の周囲に巻かれた領域の形状を推定する形状推定部を更に備える
請求項１から請求項９の何れか一項に記載の長さ測定装置。
【請求項１１】
複数の前記曲率センサの各々は、複数の前記電極パッドの各々と一体に設けられている
請求項１０に記載の長さ測定装置。
【請求項１２】
前記インピーダンス取得部が取得した前記電気インピーダンスに基づいて、前記テープ部が巻かれた生体の体脂肪率を算出する体脂肪率演算部を更に備える
請求項１から請求項１１の何れか一項に記載の長さ測定装置。
【請求項１３】
（削除）
【請求項１４】
複数の電極パッドが長手方向に沿って配列されるとともに、測定対象物の周囲に巻かれて用いられるテープ部と、前記複数の電極パッドの位置関係を示す位置関係データを記憶させた位置関係データ記憶部と、を備える長さ測定装置を用いた長さ測定方法であって、
インピーダンス取得部が、前記複数の電極パッドの中から、任意の電極パッド対を選択するとともに、当該電極パッド対の間の電気インピーダンスを取得し、
長さ演算部が、前記電極パッド対のインピーダンス変化に基づき前記電極パッド対の間の長さを算出し、
前記長さ演算部において、前記位置関係データを用いて前記電極パッド対の間の長さの演算が行われることを特徴とし、
前記インピーダンス取得部は、前記電極パッド対を複数選択するとともに、当該電極パッド対ごとに、その間の電気インピーダンスを取得し、
前記長さ演算部は、前記テープ部のうち、前記電気インピーダンスが判定閾値以下となる電極パッド対が配列されている領域を特定し、当該特定された領域の長さを算出し、
更に、前記インピーダンス取得部は、第１の離間距離を隔てて配された電極パッド対を複数選択し、当該複数の電極パッド対ごとに、その間の電気インピーダンスを取得する第１の取得ステップと、前記第１の離間距離よりも大きい第２の離間距離を隔てて配された電極パッド対を複数選択し、当該複数の電極パッド対ごとに、その間の電気インピーダンスを取得する第２の取得ステップと、を実行する
長さ測定方法。
【請求項１５】
複数の電極パッドが長手方向に沿って配列されるとともに、測定対象物の周囲に巻かれて用いられるテープ部と、前記複数の電極パッドの位置関係を示す位置関係データを記憶させた位置関係データ記憶部と、を備える長さ測定装置のコンピュータを、
前記複数の電極パッドの中から、任意の電極パッド対を選択するとともに、当該電極パッド対の間の電気インピーダンスを取得するインピーダンス取得手段、
前記電極パッド対のインピーダンス変化に基づき前記電極パッド対の間の長さを算出する長さ演算手段、
前記長さ演算手段において、前記位置関係データを用いて前記電極パッド対の間の長さの演算が行われることを特徴とするプログラムであって、
前記インピーダンス取得手段は、前記電極パッド対を複数選択するとともに、当該電極パッド対ごとに、その間の電気インピーダンスを取得し、
前記長さ演算手段は、前記テープ部のうち、前記電気インピーダンスが判定閾値以下となる電極パッド対が配列されている領域を特定し、当該特定された領域の長さを算出し、
更に、前記インピーダンス取得手段は、第１の離間距離を隔てて配された電極パッド対を複数選択し、当該複数の電極パッド対ごとに、その間の電気インピーダンスを取得する第１の取得ステップと、前記第１の離間距離よりも大きい第２の離間距離を隔てて配された電極パッド対を複数選択し、当該複数の電極パッド対ごとに、その間の電気インピーダンスを取得する第２の取得ステップと、を実行する
プログラム。
【手続補正２】
【補正対象書類名】明細書
【補正対象項目名】０００２
【補正方法】変更
【補正の内容】
【０００２】
、テープ部分の引き出し又は本体部への収納の処理を行う必要があった。また、測定対象物の長さを正確に測定するためには、測定対象物の一方をテープ部分に予め付された基準点に揃えながらテープ部分を引き出す必要があり、利用者の測定作業の負担が大きい。
［０００５］
本発明は、長さの測定時における利用者の負担を軽減することができる長さ測定装置、長さ測定方法、プログラム、形状推定装置、及び体脂肪率測定装置を提供する。
課題を解決するための手段
［０００６］
本発明の第１の態様によれば、長さ測定装置は、複数の電極パッドが長手方向に配列されるとともに、測定対象物の周囲に巻かれて用いられるテープ部と、前記複数の電極パッドの中から、任意の電極パッド対を選択するとともに、当該電極パッド対の間の電気インピーダンスを取得するインピーダンス取得部と、前記電極パッド対のインピーダンス変化に基づき前記電極パッド対の間の長さを算出する長さ演算部と、前記複数の電極パッドの位置関係を示す位置関係データを記憶させた位置関係データ記憶部と、を有し、前記長さ演算部において、前記位置関係データを用いて前記電極パッド対の間の長さの演算が行われることを特徴とし、前記インピーダンス取得部は、前記電極パッド対を複数選択するとともに、当該電極パッド対ごとに、その間の電気インピーダンスを取得し、前記長さ演算部は、前記テープ部のうち、前記電気インピーダンスが判定閾値以下となる電極パッド対が配列されている領域を特定し、当該特定された領域の長さを算出し、更に、前記インピーダンス取得部は、第１の離間距離を隔てて配された電極パッド対を複数選択し、当該複数の電極パッド対ごとに、その間の電気インピーダンスを取得する第１の取得ステップと、前記第１の離間距離よりも大きい第２の離間距離を隔てて配された電極パッド対を複数選択し、当該複数の電極パッド対ごとに、その間の電気インピーダンスを取得する第２の取得ステップと、を実行する。
［０００７］
また、第２の態様によれば、上述の長さ測定装置は、前記複数の電極パッドの位置関係を示す位置関係データを記憶させた位置関係データ記憶部をさらに有し、前記長さ演算部において、前記位置関係データを用いて前記電極パッド対の間の長さの演算が行われる。
［０００８］
また、第３の態様によれば、上述の長さ測定装置において、前記テープ部は、フレキシブル基板の上の前記複数の電極パッドを配列することによって形成される。
［０００９］
［００１０］
【手続補正３】
【補正対象書類名】明細書
【補正対象項目名】０００３
【補正方法】変更
【補正の内容】
【０００３】
［００１１］
また、第６の態様によれば、上述の長さ測定装置において、前記長さ演算部は、前記テープ部のうち、前記第１の取得ステップで取得する電気インピーダンスが前記判定閾値以下となる領域である近接領域が、前記判定閾値を上回る領域である非近接領域を隔てて複数存在する場合には、当該非近接領域において、前記第２の取得ステップで取得する電気インピーダンスが前記判定閾値以下となるか否かを判定するとともに、当該判定閾値以下となっている場合には、複数の前記近接領域が存在する領域全体の長さを算出する。
［００１２］
また、第７の態様によれば、上述の長さ測定装置において、前記テープ部は、表面が絶縁体からなる被膜部により被膜されている。
［００１３］
また、第８の態様によれば、上述の長さ測定装置において、前記テープ部は、前記被膜部の内側において、前記複数の電極パッドの何れか一方の面と、当該電極パッドに接続された引き回し配線の両面と、を覆うように形成された導体からなるシールド部をさらに備える。
［００１４］
また、第９の態様によれば、上述の長さ測定装置において、前記テープ部は、前記電極パッド及びこれに接続された引き回し配線を、導電性を有する繊維で形成している。
［００１５］
また、第１０の態様によれば、上述の長さ測定装置において、前記テープ部は、更に、複数の曲率センサを長手方向に沿って配列し、前記複数の曲率センサにより検出される曲率半径に基づいて、前記テープ部のうち、前記測定対象物の周囲に巻かれた領域の形状を推定する形状推定部を更に備える。
［００１６］
また、第１１の態様によれば、上述の長さ測定装置において、複数の前記曲率センサの各々は、複数の前記電極パッドの各々と一体に設けられている
【手続補正４】
【補正対象書類名】明細書
【補正対象項目名】０００４
【補正方法】変更
【補正の内容】
【０００４】
。
［００１７］
また、第１２の態様によれば、上述の長さ測定装置は、前記インピーダンス取得部が取得した前記電気インピーダンスに基づいて、前記テープ部が巻かれた生体の体脂肪率を算出する体脂肪率演算部を更に備える。
［００１８］
また、第１３の態様によれば、長さ測定方法は、複数の電極パッドが長手方向に沿って配列されるとともに、測定対象物の周囲に巻かれて用いられるテープ部と、前記複数の電極パッドの位置関係を示す位置関係データを記憶させた位置関係データ記憶部と、を備える長さ測定装置を用いた長さ測定方法であって、インピーダンス取得部が、前記複数の電極パッドの中から、任意の電極パッド対を選択するとともに、当該電極パッド対の間の電気インピーダンスを取得し、長さ演算部が、前記電極パッド対のインピーダンス変化に基づき前記電極パッド対の間の長さを算出し、前記長さ演算部において、前記位置関係データを用いて前記電極パッド対の間の長さの演算が行われることを特徴とし、前記インピーダンス取得部は、前記電極パッド対を複数選択するとともに、当該電極パッド対ごとに、その間の電気インピーダンスを取得し、前記長さ演算部は、前記テープ部のうち、前記電気インピーダンスが判定閾値以下となる電極パッド対が配列されている領域を特定し、当該特定された領域の長さを算出し、更に、前記インピーダンス取得部は、第１の離間距離を隔てて配された電極パッド対を複数選択し、当該複数の電極パッド対ごとに、その間の電気インピーダンスを取得する第１の取得ステップと、前記第１の離間距離よりも大きい第２の離間距離を隔てて配された電極パッド対を複数選択し、当該複数の電極パッド対ごとに、その間の電気インピーダンスを取得する第２の取得ステップと、を実行する。
［００１９］
また、第１４の態様によれば、プログラムは、複数の電極パッドが長手方向に沿って配列されるとともに、測定対象物の周囲に巻かれて用いられるテープ部と、前記複数の電極パッドの位置関係を示す位置関係データを記憶させた位置関係データ記憶部と、を備える長さ測定装置のコンピュータを、前記複数の電極パッドの中から、任意の電極パッド対を選択するとともに、当該電極パッド対の間の電気インピーダンスを取得するインピーダンス取得手段、前記電極パッド対のインピーダンス変化に基づき前記電極パッド対の間の長さを算出する長さ演算手段、前記長さ演算手段において、前記位置関係データを用いて前記電極パッド対の間の長さの演算が行われることを特徴とするプログラムであって、前記インピーダンス取得手段は、前記電極パッド対を複数選択するとともに、当該電極パッド対ごとに、その間の電気インピーダンスを取得し、前記長さ演算手段は、前記テープ部のうち、前記電気インピーダンスが判定閾値以下となる電極パッド対が配列されている領域を特定し、当該特定された領域の長さを算出し、更に、前記インピーダンス取得手段は、第１の離間距離を隔てて配された電極パッド対を複数選択し、当該複数の電極パッド対ごとに、その間の電気インピーダンスを取得する第１の取得ステップと、前記第１の離間距離よりも大きい第２の離間距離を隔てて配された電極パッド対を複数選択し、当該複数の電極パッド対ごとに、その間の電気インピーダンスを取得する第２の取得ステップと、を実行する。
［００２０］
［００２１］
【手続補正５】
【補正対象書類名】明細書
【補正対象項目名】０００５
【補正方法】変更
【補正の内容】
【０００５】
発明の効果
［００２２］
長さの測定時における利用者の負担を軽減することができる。
図面の簡単な説明
［００２３］
［図１］第１の実施形態に係る長さ測定装置の概要を示す図である。
［図２］第１の実施形態に係る長さ測定装置のテープ部の構成を示す図である。
［図３Ａ］第１の実施形態に係る長さ測定装置のテープ部の構成をより詳細に示す第１の図である。
［図３Ｂ］第１の実施形態に係る長さ測定装置のテープ部の構成をより詳細に示す第２の図である。
［図４］第１の実施形態に係る長さ測定装置の本体部の機能構成を示す図である。
［図５Ａ］第１の実施形態に係る長さ測定装置の作用を説明する第１の図である。
［図５Ｂ］第１の実施形態に係る長さ測定装置の作用を説明する第２の図である。
［図６］第１の実施形態に係る長さ測定装置の作用を説明する第３の図である。
［図７］第１の実施形態に係る長さ測定装置の制御部の処理フローを示す図である。
［図８］第１の実施形態の変形例に係る長さ測定装置のテープ部の構成を示す図である。
［図９］第１の実施形態の他の変形例に係る長さ測定装置のテープ部の構成を示す図である。
［図１０Ａ］第２の実施形態に係る長さ測定装置の作用を説明する第１の図である。
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
複数の電極パッドが配列されるとともに、測定対象物の周囲に巻かれて用いられるテープ部と、
前記複数の電極パッドの中から、任意の電極パッド対を選択するとともに、当該電極パッド対の間の電気インピーダンスを取得するインピーダンス取得部と、
前記電極パッド対のインピーダンス変化に基づき前記電極パッド対の間の長さを算出する長さ演算部と、
前記複数の電極パッドの位置関係を示す位置関係データを記憶させた位置関係データ記憶部と、を有し、
前記長さ演算部において、前記位置関係データを用いて前記電極パッド対の間の長さの演算が行われることを特徴とする長さ測定装置。
【請求項２】
前記テープ部が、フレキシブル基板の上の前記複数の電極パッドを配列することによって形成される
請求項１に記載の長さ測定装置。
【請求項３】
前記長さ演算部は、
前記電気インピーダンスが判定閾値以上又は当該判定閾値以下となった場合に、前記長さを算出する
ことを特徴とする請求項１又は請求項２に記載の長さ測定装置。
【請求項４】
前記複数の電極パッドが、前記テープ部の長手方向に沿って配列され、
前記インピーダンス取得部は、前記電極パッド対を複数選択するとともに、当該電極パッド対ごとに、その間の電気インピーダンスを取得し、
前記長さ演算部は、前記テープ部のうち、前記電気インピーダンスが判定閾値以下となる電極パッド対が配列されている領域を特定し、当該特定された領域の長さを算出する
請求項１に記載の長さ測定装置。
【請求項５】
前記インピーダンス取得部は、第１の離間距離を隔てて配された電極パッド対を複数選択し、当該複数の電極パッド対ごとに、その間の電気インピーダンスを取得する第１の取得ステップと、前記第１の離間距離よりも大きい第２の離間距離を隔てて配された電極パッド対を複数選択し、当該複数の電極パッド対ごとに、その間の電気インピーダンスを取得する第２の取得ステップと、を実行する
請求項４に記載の長さ測定装置。
【請求項６】
前記長さ演算部は、前記テープ部のうち、前記第１の取得ステップで取得する電気インピーダンスが前記判定閾値以下となる領域である近接領域が、前記判定閾値を上回る領域である非近接領域を隔てて複数存在する場合には、当該非近接領域において、前記第２の取得ステップで取得する電気インピーダンスが前記判定閾値以下となるか否かを判定するとともに、当該判定閾値以下となっている場合には、複数の前記近接領域が存在する領域全体の長さを算出する
請求項５に記載の長さ測定装置。
【請求項７】
前記テープ部は、表面が絶縁体からなる被膜部により被膜されている
請求項１から請求項６の何れか一項に記載の長さ測定装置。
【請求項８】
前記テープ部は、前記被膜部の内側において、前記複数の電極パッドの何れか一方の面と、当該電極パッドに接続された引き回し配線の両面と、を覆うように形成された導体からなるシールド部をさらに備える
請求項７に記載の長さ測定装置。
【請求項９】
前記テープ部は、前記電極パッド及びこれに接続された引き回し配線を、導電性を有する繊維で形成している
請求項１から請求項８の何れか一項に記載の長さ測定装置。
【請求項１０】
前記テープ部は、更に、複数の曲率センサを長手方向に沿って配列し、前記複数の曲率センサにより検出される曲率半径に基づいて、前記テープ部のうち、前記測定対象物の周囲に巻かれた領域の形状を推定する形状推定部を更に備える
請求項１から請求項９の何れか一項に記載の長さ測定装置。
【請求項１１】
複数の前記曲率センサの各々は、複数の前記電極パッドの各々と一体に設けられている
請求項１０に記載の長さ測定装置。
【請求項１２】
前記インピーダンス取得部が取得した前記電気インピーダンスに基づいて、前記テープ部が巻かれた生体の体脂肪率を算出する体脂肪率演算部を更に備える
請求項１から請求項１１の何れか一項に記載の長さ測定装置。
【請求項１３】
複数の電極パッドが長手方向に沿って周期配列されるとともに、測定対象物の周囲に巻かれて用いられるテープ部と、
前記複数の電極パッドの中から、電極パッド対を複数選択するとともに、当該複数の電極パッド対ごとに、その間の電気インピーダンスを取得するインピーダンス取得部と、
前記テープ部のうち、前記電気インピーダンスが判定閾値以下となる電極パッド対が配列されている領域を特定し、当該特定された領域の長さを算出する長さ演算部と、
を備える長さ測定装置。
【請求項１４】
複数の電極パッドが長手方向に沿って周期配列されるとともに、測定対象物の周囲に巻かれて用いられるテープ部を備える長さ測定装置を用いた長さ測定方法であって、
インピーダンス取得部が、前記複数の電極パッドの中から、電極パッド対を複数選択するとともに、当該複数の電極パッド対ごとに、その間の電気インピーダンスを取得し、
長さ演算部が、前記テープ部のうち、前記電気インピーダンスが判定閾値以下となる電極パッド対が配列されている領域を特定し、当該特定された領域の長さを算出する
長さ測定方法。
【請求項１５】
複数の電極パッドが長手方向に沿って周期配列されるとともに、測定対象物の周囲に巻かれて用いられるテープ部を備える長さ測定装置のコンピュータを、
前記複数の電極パッドの中から、電極パッド対を複数選択するとともに、当該複数の電極パッド対ごとに、その間の電気インピーダンスを取得するインピーダンス取得手段、
前記テープ部のうち、前記電気インピーダンスが判定閾値以下となる電極パッド対が配列されている領域を特定し、当該特定された領域の長さを算出する長さ演算手段、
として機能させるプログラム。
【請求項１６】
複数の曲率センサが長手方向に沿って配列されるとともに、測定対象物の周囲に巻かれて用いられるテープ部と、
前記複数の曲率センサにより検出される曲率半径に基づいて、前記テープ部のうち測定対象物の周囲に巻かれた領域の形状を推定する形状推定部と、
を備える形状推定装置。
【請求項１７】
複数の電極パッドが長手方向に沿って周期配列されるとともに、生体の周囲に巻かれて用いられるテープ部と、
前記複数の電極パッドの中から、電極パッド対を複数選択するとともに、当該複数の電極パッド対ごとに、その間の電気インピーダンスを取得するインピーダンス取得部と、
前記インピーダンス取得部が取得した電気インピーダンスに基づいて、前記テープ部が巻かれた生体の体脂肪率を算出する体脂肪率演算部と、
を備える体脂肪率測定装置。
【国際調査報告】
2015046058.tif 000024
2015046058.tif 000025
2015046058.tif 000026
2015046058.tif 000027